(57)【要約】【課題】画像形成装置１を利用して配達物の重量を測定できるようにする。【解決手段】画像形成装置本体２と、画像形成装置本体２の下部に複数段に亘って設けられ、給紙カセット４ａ〜４ｄが装着される複数のカセット装着部２ａ〜２ｄとを備えている。複数のカセット装着部４ａ〜４ｄのうち最下段に位置するカセット装着部４ｄは、配達物の重量を測定するための重量測定装置２０を着脱可能に構成されている。【選択図】図３
2016190420.tif 000002
【特許請求の範囲】
【請求項１】
画像形成装置本体と、該画像形成装置本体の下部に複数段に亘って設けられ、給紙カセットが装着される複数のカセット装着部とを備えた画像形成装置であって、
上記複数のカセット装着部のうち最下段に位置するカセット装着部は、配達物の重量を測定するための重量測定装置を着脱可能に構成されている、画像形成装置。
【請求項２】
請求項１に記載の画像形成装置において、
上記重量測定装置は、上記配達物が載置される矩形状の配達物載置面を有し、
上記配達物載置面には、互いに直交する二つの方向のそれぞれにおいて配達物の寸法を測定するための目盛りが付されている、画像形成装置。
【請求項３】
請求項２記載の画像形成装置において、
上記画像形成装置本体の側面には、上記配達物の高さを測定するための目盛りが付されている、画像形成装置。
【請求項４】
請求項３記載の画像形成装置において、
上記配達物の上記直交する二方向の寸法と上記配達物の高さとを入力するための入力手段と、
上記入力手段と上記重量測定装置とに接続された演算手段とをさらに備え、
上記演算手段は、上記入力手段による入力情報を基に上記配達物の体積を求め、この求めた体積と、上記重量測定装置により測定される上記配達物の重量とに基づいて該配達物の配達料金を演算する、画像形成装置。
【請求項５】
請求項４に記載の画像形成装置において、
上記演算手段は、上記演算した配達料金に基づいて伝票発行部に配達伝票の発行を指示する、画像形成装置。
【発明の詳細な説明】
【技術分野】
【０００１】
本発明は、画像形成装置に関する。
【背景技術】
【０００２】
従来より、コンビニエンスストアをはじめとする種々の店舗には、不特定の顧客が有償で利用することのできるコピー機が設置されている。コピー機の横には課金装置であるコインベンダーが設置されており、コピー機で提供されたサービスに応じた料金がコインベンダーより徴収される仕組みになっている。さらに、コピー機に代えて複合機が設置され、コピーサービス以外に、プリントサービスやコンテンツプリントサービスなどの多くの出力サービスも提供されるようになってきている。
【先行技術文献】
【特許文献】
【０００３】
【特許文献１】特開２００８−２４２００８号公報
【発明の概要】
【発明が解決しようとする課題】
【０００４】
ところで、現在では、コンビニエンスストア（以下、コンビニという）等でメール便や郵便物の配達手続が可能になっている。その際、人手で配達物の重量を測定して配達料金を決定しているが、測定に時間が掛かる。
【０００５】
そこで、コンビニ等には、画像形成装置（コピー機や複合機等）が設置されていることから、この画像形成装置を利用して配達物の重量を測定できれば、画像形成装置の利便性が向上するとともに、レジ作業の効率化及び迅速化が可能となって好ましい。
【０００６】
本発明はかかる点に鑑みてなされたものであり、その目的とするところは、画像形成装置を利用して配達物の重量を測定できるようにすることである。
【課題を解決するための手段】
【０００７】
本発明の一局面に係る画像形成装置は、画像形成装置本体と、該画像形成装置本体の下部に複数段に亘って設けられ、給紙カセットが装着される複数のカセット装着部とを備えている。
【０００８】
上記複数のカセット装着部のうち最下段に位置するカセット装着部は、配達物の重量を測定するための重量測定装置を着脱可能に構成されている。
【発明の効果】
【０００９】
本発明によれば、画像形成装置を利用して配達物の重量を測定することができる。
【図面の簡単な説明】
【００１０】
【図１】図１は、画像形成装置を示す前側から見た正面図である。
【図２】図２は、画像形成装置の内部構成を示すブロック図である。
【図３】図３は、最下段のカセット装置部に重量測定装置を装着した画像形成装置において重量測定装置を前側に引き出した状態を示す平面図である。
【図４】図４は、図３のＩＶ方向矢視図である。
【図５】図５は、画像形成装置の制御系のブロック図である。
【発明を実施するための形態】
【００１１】
《実施形態》
以下、本発明の実施形態を図面に基づいて詳細に説明する。なお、本発明は、以下の実施形態に限定されるものではない。
【００１２】
図１は、例えばレーザプリンターや複合機等の画像形成装置１である。画像形成装置１は、矩形箱状の画像形成装置本体２を備え、画像形成装置本体２の下部には、給紙カセット４ａ〜４ｄを装着するためのカセット装着部２ａ〜２ｄが複数段に亘って設けられている。最下段のカセット装着部２ｄは、給紙カセット４ｄの代わりにオプション機器である重量測定装置２０（図３参照）を装着可能に構成されている。重量測定装置２０の詳細については後述する。
【００１３】
画像形成装置本体２は、用紙を搬送しながら、端末等（図示省略）から送信される画像データに基づいて用紙に画像を形成するように構成されている。画像形成装置本体２は、図２に示すように、給紙部４、画像形成部５及び定着部６を備えている。
【００１４】
給紙部４は、用紙を画像形成部５へ供給する上記給紙カセット４ａ〜４ｄや手差しトレイからなる。画像形成部５は、現像器７や感光体ドラム８等を備えている。画像形成部５では、光走査装置（図示省略）によって感光体ドラム８に静電潜像が形成され、その静電潜像が現像器７によって現像されてトナー像になる。このトナー像は、給紙部４から供給された用紙に転写される。定着部６は、定着ローラー及び加圧ローラー（何れも図示省略）を備え、画像形成部５で用紙に転写されたトナー像を用紙に定着させる。こうして、用紙に画像が形成される。
【００１５】
さらに、画像形成装置本体２は、トナーコンテナー９とトナー回収装置１０とを備えている。トナーコンテナー９は、現像器７に供給する現像剤としてのトナーが収容されている。トナー回収装置１０は、現像器７で飛散したトナーを吸引して回収するものである。
【００１６】
図３に示すように、重量測定装置２０は、平面視で画像形成装置１の左右方向に長い矩形状に形成されている。重量測定装置２０は、最下段のカセット装着部２ｄに収納された収納位置と、画像形成装置１の前側に引き出された使用位置との間でスライド可能になっている。重量測定装置２０は、例えば、ロードセル式、電磁式又は音叉式の電子重量計からなる。重量測定装置２０の上面は、重量測定の対象となる配達物が載置される配達物載置面２０ａとされている。この配達物載置面２０ａには、互いに直交する二つの方向Ｗ１，Ｗ２において配達物の寸法を測定するための目盛りＳ１，Ｓ２が付されている。目盛りＳ１は、配達物の幅方向（Ｗ１方向）の寸法を測定するための目盛りであり、目盛りＳ２は、配達物の奥行き方向（Ｗ２方向）の寸法を測定するための目盛りである。さらに画像形成装置１の前側面には、上記配達物載置面２０ａに載置された配達物の高さＴを測定するための目盛りＳ３（図１参照）が付されている。目盛りＳ１〜Ｓ３は、例えば、配達物載置面２０ａに刻印されていてもよいし、直接印刷されていてもよいし、テープ等により貼り付けられていてもよい。
【００１７】
図４に示すように、重量測定装置２０の下側には矩形ブロック状の脚部２１が着脱可能に取付けられている。脚部２１は、重量測定装置２０が使用位置にあるときに重量測定装置２０を下方から支持する役割を果たしている。脚部２１は、重量測定装置２０の下面の四隅にそれぞれ取付けられる。重量測定装置２０を収納位置に戻す際には、脚部２１を重量測定装置から取り外せばよい。
【００１８】
図５に示すように、重量測定装置２０は、コントローラー３０に電気的に接続されている。コントローラー３０は、演算部３１を内蔵している。コントローラー３０には、重量測定装置２０の他に、サイズ入力ボタン３２、配達料金設定ボタン３３、配達料金表示部３４、及び伝票発行部３５が接続されている。サイズ入力ボタン３２及び配達料金設定ボタン３３は、例えば画像形成装置１の操作パネルに設けられた機械式のボタンであってもよいし、操作用の液晶ディプレイの画面に設定されたタッチ式のボタンであってもよい。
【００１９】
上記演算部３１には、配達物の体積（高さＴ、奥行きＷ１及び幅Ｗ２）と、配達物の重量とに基づく配達料金がランク別に格納されている。演算部３１は、ユーザーがサイズ入力ボタン３２により入力した配達物の寸法を基に配達物の体積を求め、この求めた体積と重量測定装置２０により測定した重量とに基づいて配達物の配達料金を演算する。
【００２０】
ユーザーがサイズ入力ボタン３２により配達物の寸法を入力した後、配達料設定ボタン３２を押すと、コントローラー２４は演算部２５で自動的に配達物Ｄの体積と重量に基づいて配達料金を演算して、演算した配達料金を配達料金表示部２７に表示するとともに、この配達料金に基づいて伝票発行部２８に配達伝票の発行を指示する。ユーザーは配達伝票を持ってカウンターで精算する。
【００２１】
以上説明したように、上記実施形態では、最下段のカセット装着部４ｄに重量測定装置２０を装着可能に構成したので、配達物の重量を店員の手を煩わせることなく短時間に測定することができ、画像形成装置１の利便性を向上させることができる。
【００２２】
しかも、重量測定装置２０には、配達物の幅方向及び奥行き方向の寸法を測定するための目盛りＳ１，Ｓ２が付されているとともに、画像形成装置１の前側面には配達物の高さを測定するための目盛りＳ３が付されているので、寸法測定用のスケール等を別途用意することなく、配達物の寸法を容易に測定することができる。
【００２３】
そして上記実施形態では、ユーザーが測定した寸法をサイズ入力ボタン３２により入力するだけで、演算部３１により配達物の重量と体積とが自動的に算出される。したがって、配達料を正確に且つ迅速に算出することができる。
【００２４】
また、演算部３１で演算した配達料金を配達料金表示部２７に表示するとともに、演算した配達料金に基づいて伝票発行部２８が配達伝票を自動発行するので、至便である。
【産業上の利用可能性】
【００２５】
以上説明したように、本発明は、画像形成装置について有用である。
【符号の説明】
【００２６】
Ｓ１   目盛り
Ｓ２   目盛り
Ｓ３   目盛り
１     画像形成装置
２ａ   カセット装着部
２ｂ   カセット装着部
２ｃ   カセット装着部
２ｄ   最下段に位置するカセット装着部
４ａ   給紙カセット
４ｂ   給紙カセット
４ｃ   給紙カセット
４ｄ   給紙カセット
２０   重量測定装置
２０ａ 荷物載置面
３１   演算部
３２   サイズ入力ボタン
３３   配達料金設定ボタン
３４   配達料金表示部
３５   伝票発行部
【図１】
2016190420.tif 000003
【図２】
2016190420.tif 000004
【図３】
2016190420.tif 000005
【図４】
2016190420.tif 000006
【図５】
2016190420.tif 000007